(57)【特許請求の範囲】
【請求項１】
次世代ユニバーサル地上波無線アクセスネットワーク（E-UTRAN）と通信するように構成されているユーザ機器（UE）であって、
マスターセルグループ（MCG）に接続されるとともにセカンダリーセルグループ（SCG）に接続されるトランシーバーと、
前記トランシーバーに接続されるプロセッサと、を含み、
前記プロセッサは、前記マスターセルグループ（MCG）及び前記セカンダリーセルグループ（SCG）の双方の進化型NodeB（eNB）に、前記トランシーバーの測定能力を送信し、
測定設定情報を受信する、ように構成され、
前記測定設定情報は、前記マスターセルグループ（MCG）及び前記セカンダリーセルグループ（SCG）のための測定間隔設定情報、測定長さ、オフセット、測定の時間、並びに、異なる測定設定情報及び異なる測定間隔反復周期（MGRP）が前記マスターセルグループ（MCG）及び前記セカンダリーセルグループ（SCG）のために使用されるか否か、を含み、
前記測定間隔設定情報によって示される前記マスターセルグループ（MCG）のための測定間隔は、前記測定間隔設定情報によって示されるセカンダリーセルグループ（SCG）のための測定間隔と時間的に整列され、
前記プロセッサは、前記測定設定情報にしたがって、前記マスターセルグループ（MCG）及び前記セカンダリーセルグループ（SCG）のための前記測定間隔の間にマスターセルグループ（MCG）信号及びセカンダリーセルグループ（SCG）信号を測定するように、前記トランシーバーに指示する、ように構成される、
ユーザ機器（UE）。
【請求項２】
前記測定間隔設定情報は前記マスターセルグループ（MCG）のための測定間隔反復周期（MGRP）を示し、前記マスターセルグループ（MCG）のための前記測定間隔反復周期（MGRP）は前記セカンダリーセルグループ（SCG）のための測定間隔反復周期（MGRP）と等しい、請求項１に記載のユーザ機器（UE）。
【請求項３】
前記測定間隔設定情報は前記マスターセルグループ（MCG）及び前記セカンダリーセルグループ（SCG）のための前記測定間隔を定義する単一のセットの設定パラメーターを含む、請求項１に記載のユーザ機器（UE）。
【請求項４】
前記測定間隔設定情報は前記マスターセルグループ（MCG）のための第1の測定間隔反復周期（MGRP）及び前記セカンダリーセルグループ（SCG）のための第2の測定間隔反復周期（MGRP）を示し、前記第1の測定間隔反復周期（MGRP）は前記第2の測定間隔反復周期（MGRP）と異なる、請求項１に記載のユーザ機器（UE）。
【請求項５】
前記第1の測定間隔反復周期（MGRP）及び前記第2の測定間隔反復周期（MGRP）のうちの一方は前記第1の測定間隔反復周期（MGRP）及び前記第2の測定間隔反復周期（MGRP）のうちの他方の整数倍である、請求項４に記載のユーザ機器（UE）。
【請求項６】
前記測定間隔設定情報は、シングルコネクティビティ接続のために使用される間隔長よりも長い測定間隔長を示す、請求項１に記載のユーザ機器（UE）。
【請求項７】
前記プロセッサは、接続セットアップの間にトランシーバーの能力を示す無線リソース制御（RRC）メッセージを送信するように、前記トランシーバーに指示するように構成される、請求項１に記載のユーザ機器（UE）。
【請求項８】
デュアルコネクティビティ用の測定間隔を設定する方法であって、
無線通信デバイスがマスター基地局及びセカンダリー基地局に通信可能に接続されるということを、プロセッサを使用して判定するステップと、
前記プロセッサを使用して、前記マスター基地局及び前記セカンダリー基地局において、前記無線通信デバイスのトランシーバーの測定能力を受信するステップと、
前記プロセッサを使用して、前記受信した測定能力に基づいて、測定設定情報を選択するステップであって、前記測定設定情報は、通信可能な接続の各々についての測定間隔長及び測定間隔反復周期、オフセット、測定の時間、並びに、異なる測定設定情報及び異なる測定間隔反復周期（MGRP）が前記マスター基地局及び前記セカンダリー基地局と関連する測定のために使用されるか否か、を含み、前記通信可能な接続の少なくとも１つのために選択される前記測定間隔長は、シングルコネクティビティ接続のための測定間隔長よりも長く、前記測定間隔反復周期は、通信可能な接続の各々について好ましい測定の指標に基づいて選択される、ステップと、
前記無線通信デバイスに、通信可能な接続の各々についての前記測定間隔長及び前記測定間隔反復周期の指標を含む前記測定設定情報を送信するステップと、を含む、
方法。
【請求項９】
デュアルコネクティビティ用の測定間隔を設定する方法であって、
無線通信デバイスがマスター基地局及びセカンダリー基地局に通信可能に接続されるということを、プロセッサを使用して判定するステップと、
前記プロセッサを使用して、前記マスター基地局及び前記セカンダリー基地局において、前記無線通信デバイスのトランシーバーの測定能力を受信するステップと、
前記プロセッサを使用して、前記受信した測定能力に基づいて、測定設定情報を選択するステップであって、前記測定設定情報は、通信可能な接続の各々についての測定間隔長及び測定間隔反復周期、オフセット、測定の時間、並びに、異なる測定設定情報及び異なる測定間隔反復周期（MGRP）が前記マスター基地局及び前記セカンダリー基地局と関連する測定のために使用されるか否か、を含み、前記通信可能な接続の少なくとも１つのために選択される前記測定間隔長は、シングルコネクティビティ接続のための測定間隔長よりも長く、前記測定間隔反復周期は、前に示された測定間隔反復周期に応答して受信されるフィードバックに基づいて選択される、ステップと、
前記無線通信デバイスに、通信可能な接続の各々についての前記測定間隔長及び前記測定間隔反復周期の指標を含む前記測定設定情報を送信するステップと、を含む、
方法。
【請求項１０】
通信可能な接続の各々について測定間隔オフセットを選択するステップであって、前記測定間隔オフセットは、複数の前記通信可能な接続にわたって測定間隔を整列させる、測定間隔オフセットを選択するステップをさらに含む、請求項８又は９に記載の方法。
【請求項１１】
前記測定間隔反復周期は互いに等しくなるように選択される、請求項１０に記載の方法。
【請求項１２】
前記測定間隔反復周期は互いに異なるように選択される、請求項１０に記載の方法。
【請求項１３】
前記測定間隔反復周期は互いの整数倍となるように選択される、請求項１２に記載の方法。
【請求項１４】
請求項８乃至１３のいずれかに記載の方法を実行する手段を含む装置。
【請求項１５】
コンピュータ読み取り可能な命令を含むコンピュータプログラムであって、前記命令は、コンピュータで実行されると、前記コンピュータが請求項８乃至１３のいずれかの方法を実行するようにする、コンピュータプログラム。
【請求項１６】
請求項１５のコンピュータプログラムを格納しているコンピュータ読み取り可能な記録媒体。
【請求項１７】
回路を含む無線通信デバイスであって、
前記回路は、
第１の基地局及び第２の基地局と通信可能に接続し、
前記第１の基地局及び前記第２の基地局に当該無線通信デバイスのトランシーバーの測定能力を送信し、
前記第１の基地局及び前記第２の基地局のうちの少なくとも一方から測定設定情報を受信し、前記測定設定情報は、通信可能な接続の各々についての測定間隔頻度の指標を含み、前記測定間隔頻度は、互いに等しくなく、互いの整数倍となっており、前記測定設定情報は、測定間隔反復周期（MGRP）、測定長さ、オフセット、測定の時間、並びに、異なる測定設定情報及び異なる測定間隔反復周期（MGRP）が前記第１の基地局及び前記第２の基地局と関連する測定のために使用されるか否か、を含み、
示される前記測定間隔頻度を含む前記測定設定情報に従って、通信可能な接続の各々について測定間隔の間に信号を測定し、
前記第１の基地局及び前記第２の基地局のうちの少なくとも一方に測定報告を送信する、ように構成される、
無線通信デバイス。
【請求項１８】
前記測定間隔は時間的に互いに整列される、請求項１７に記載の無線通信デバイス。
【請求項１９】
前記回路は各測定間隔の継続時間を決定するように構成され、前記測定間隔のうちの少なくとも１つの前記継続時間は、単一の基地局に接続される無線通信デバイスのためのディフォルトの継続時間よりも長い、請求項１７に記載の無線通信デバイス。
【請求項２０】
前記回路は、前記通信可能な接続をセットアップしている間に、前記第１の基地局及び前記第２の基地局のうちの少なくとも一方に通信能力を送信するように構成されている、請求項１７に記載の無線通信デバイス。
【請求項２１】
前記第１の基地局への前記通信可能な接続のための前記測定間隔の間に測定されるべき周波数の嗜好及び前記第２の基地局への通信可能な接続のための前記測定間隔の間に測定されるべき周波数の嗜好を送信するように構成されている、請求項１７に記載の無線通信デバイス。
【発明の詳細な説明】
【技術分野】
【０００１】
本願は、２０１４年５月８日に出願された米国仮出願６１／９９０，６７５号に基づく優先権を主張し、同米国仮出願の利益を主張するものであり、米国仮出願６１／９９０，６７５号の内容は、本願の参照として取り入れられる。
【背景技術】
【０００２】
本開示は、無線通信デバイスのデュアルコネクティビティ（同時通信）オペレーションのための測定間隔を設定するシステム、方法、及びデバイスに関する。
【図面の簡単な説明】
【０００３】
【図１】複数のeNBに通信可能に接続されたデュアルコネクティビティUEを含むシステムの概略図である。
【図２】１つのトランシーバーについての測定間隔の測定長さが増加したときに、さまざまな周波数における各トランシーバーの動作を示すチャートである。
【図３】トランシーバーについての測定間隔が時間的に整列されたときに、さまざまな周波数におけるあるUEの各トランシーバーの動作を示すチャートである。
【図４】各トランシーバーについて異なる測定間隔反復周期（MGRP）が使用される場合に、さまざまな周波数におけるあるUEの各トランシーバーの動作を示すチャートである。
【図５】各トランシーバーについて異なるMGRPが使用されるが測定間隔が時間的に整列されている場合に、さまざまな周波数におけるあるUEの各トランシーバーの動作示すチャートである。
【図６】デュアルコネクティビティオペレーションのための測定間隔を設定する方法のフローチャートである。
【図７】デュアルコネクティビティ測定間隔を設定するための測定設定情報を受信し処理することができるUEの概略図である。
【発明を実施するための形態】
【０００４】
移動体無線通信技術は、さまざまな規格及びプロトコルを使用し、基地局と無線通信デバイスとの間でデータを送信する。無線通信システム規格及びプロトコルは、例えば、3GPP（3rd  Generation  Partnership  Project）LTE（long  term  evolution）、WiMAX（Worldwide  Interoperability  for  Microwave  Access）として業界団体に共通に知られているアメリカ電気電子通信学会（IEEE）802.16規格、及びWi-Fiとして業界団体に共通に知られているIEEE802.11規格を含んでもよい。LTEシステムにおける3GPP無線アクセスネットワーク（RAN）では、基地局は、（進化型NodeB、強化型NodeB、eNodeB、又はeNBと一般的に示される）次世代ユニバーサル移動体通信システム（UMTS）地上波無線アクセスネットワーク（E-UTRAN）NodeB、及び／又は無線ネットワークコントローラ（RNC）を含んでもよく、これらの基地局は、ユーザ機器（UE）として知られている無線通信デバイスと通信する。LTEネットワークでは、E-UTRANは、複数のeNodeBを含んでもよく、複数のUEと通信してもよい。進化型パケットコア（EPC）は、E-UTRANをインターネット等の外部ネットワークに接続してもよい。
【０００５】
LTEネットワークは、無線アクセス技術及びコア無線ネットワークアーキテクチャを使用し、これらは、高データレート、低遅延、パケット最適化、並びに改善されたシステム容量及びカバーレッジを実現する。LTEネットワークでは、UEは１つ又は複数のeNBと通信可能に接続されてもよい。１つのUEは、同時に２つ又は潜在的により多くのeNBと通信可能に接続できてもよい。例えば、UEは、アップリンク送信及び受信並びにダウンリンク送信及び受信を処理する個別のトランシーバーを含んでいてもよい。いくつかの実施形態において、トランシーバーは１つ又は複数の構成要素を共有してもよく、その１つ又は複数の構成要素は複数の周波数において通信を送信及び／又は受信するために二重に設けられる必要はない。第１の通信可能に接続されたeNBはマスターセルグループ（MCG）の部分であってもよく、第２の通信可能に接続されたeNBはセカンダリーセルグループ（SCG）の部分であってもよい。UEは、測定を実行し、（例えば、MCGへの接続を維持したまま他のSCGにハンドオーバーする、或いは他のMCGにハンドオーバーしてSCGへの接続を削除する等）トランシーバーを、異なる周波数、異なるセルグループ、及び／又はその他同様のものにハンドオーバーさせたか否かを判定してもよい。この場合に、ある１つのトランシーバーによる測定は、他のトランシーバーによる動作によって干渉を受けてもよい。同様に、ある１つのトランシーバーによる測定は、他のトランシーバーによる動作に干渉を与えてもよい。
【０００６】
送信及び／又は受信は、（例えば、他方のトランシーバーが測定を試みている場合等）他方のトランシーバーのための測定間隔の間に一方のトランシーバーに関して発生していてもよい。あるいは、又は加えて、トランシーバーは、周波数を変化させて測定を実行し、他のトランシーバーによる送信及び／又は受信に干渉を及ぼしてもよい。いくつかの実施形態において、同一周波数内の測定の開始及び終了の時に、5[ms]の妨害が発生してもよく、異なる周波数間の測定の開始及び終了の時に、1[ms]の妨害が発生してもよい。6[ms]継続する周波数間の測定については、2[ms]の妨害は、測定時間のうちの33パーセントが他方のトランシーバーを妨害するということを意味してもよい。いくつかの実施形態において、周波数を変更すると、動作しているトランシーバーが、測定しているトランシーバーに干渉を与えないほど十分にその周波数が離れている場合であっても、動作しているトランシーバーに干渉を与える可能性がある。
【０００７】
E-UTRAN及び／又はUEは、（測定間隔反復周期（MGRP）等の）どのくらいの頻度で測定が発生するか、（測定間隔オフセット、及び測定間隔が時間的に互いに整列されているか否か等の）いつ測定が発生するか、（測定間隔長等の）測定継続時間、各トランシーバーが自身の測定間隔を有しているか否か、及び／又はその他同様のもの等の測定設定を決定し及び／又は受信してもよい。特定の測定設定は、トランシーバーの構成、（周波数内又は周波数間の周波数差等の）周波数距離、望ましい量の信号オーバーヘッド、UEの望ましい通信性能、及び／又はその他同様のもの等に基づいて決定されてもよい。
【０００８】
いくつかの実施形態において、測定間隔長は、シングルコネクティビティ接続に使用されている測定間隔長と比較して増加させられてもよい。例えば、UEは、そのより長い測定間隔の間に、複数の周波数内で信号を測定してもよい。さらに、そのMGRPは増加させられてもよい。したがって、測定時間に対する妨害時間の比及び／又はMGRPに対する妨害時間の比を減少させることができる。他のトランシーバーは、情報を送信し及び／又は受信するためにより多くのサブフレームを使用することが可能であってもよい。いくつかの実施形態において、上記の増加させられた測定間隔長は、以下で議論される測定間隔の整列と組み合わせて使用されてもよい。
【０００９】
いくつかの実施形態において、（例えば、測定間隔は時間的に同一の点で開始し及び／又は終了してもよいといったように）測定間隔長は時間的に整列されてもよい。例えば、MGRP及び測定オフセットは、MCGトランシーバー及びSCGトランシーバーの双方について同じであってもよい。代替的に、MCG及びSCGは同期していなくてもよく、MCG及びSCGの各々について異なるオフセットを選択して、測定間隔を整列させてもよい。トランシーバーは、自身の測定間隔に必要な妨害以外の妨害を経験しなくてもよい。いくつかの実施形態において、単一のセットの測定設定情報が、双方のトランシーバーのためにUEに送信されてもよい。E-UTRANは、単一のセットの測定設定情報が双方のトランシーバーのために使用されるということを示してもよく、及び／又は（例えば、UEが、１つの測定間隔のための測定設定情報を双方のトランシーバーに自動的に適用するといったように）いずれかの測定設定情報が双方のトランシーバーに使用されるということがあらかじめ定義されていてもよい。代替的に、２つのセットの同一の測定設定情報がE-UTRANによってUEに送信されてもよい。代替的に、１つのセットの測定設定情報がE-UTRANによってUEに送信され、MCGトランシーバー及びSCGトランシーバーの双方に適用されてもよい。他の実施形態においては、測定間隔は時間的に整列されていなくてもよいが、（例えば、一方のトランシーバーの測定間隔のための周波数の変化が他方のトランシーバーの測定間隔の真ん中で発生しておらず、及び／又は互いの整数倍であるMGRPを有しているといったように）測定間隔が互いに干渉を及ぼさず、及び／又は干渉が最小化されるように、ずれの量を選択してもよい。
【００１０】
一方のトランシーバーは、他方のトランシーバーが測定を行う頻度ほど高い頻度で測定を行わなくてもよい。例えば、一方のトランシーバーによって取り扱われる（サービングされる）カバーレッジ層は２つの周波数層を有しているのみでよいが、他方のトランシーバーによって取り扱われるオフロード層は４つの周波数層を有していてもよい。MCGトランシーバーは、その後、情報を送信及び／又は受信するのに使用することができた時間を犠牲にし、必要ではない測定を実行することができる。１つの実施形態において、E-UTRANは各トランシーバーに異なるMGRPを割り当ててもよい。前記の例では、より長いMGRPがMCGトランシーバーに割り当てられてもよく、MCGトランシーバーはより少ない周波数層を有しており、そして、より短いMGRPがSCGトランシーバーに割り当てられてもよい。同一の測定間隔オフセットがMCGトランシーバー及びSCGトランシーバーの双方に使用されてもよく、この場合、双方のトランシーバーの測定間隔は所定の周期で時間的に整列される。より長いMGRPを有するトランシーバーは、そのトランシーバーは測定を実行していないが他のトランシーバーが測定を実行しているときに、妨害を経験してもよい。しかしながら、より長いMGRPを有するトランシーバーは、妨害が発生していないときに、他方のトランシーバーの測定間隔の間にデータを送信及び／又は受信することが可能であってもよい。例えば、周波数層を２つのみ含んでいるカバーレッジ層について、トランシーバーは、周波数層を１つ使用し、測定のために他の１つの周波数層を有していてもよい。そのトランシーバーは、１つ以上の周波数層の測定を担うトランシーバーよりも、たいていの場合、大幅に少ない数の測定を実行してもよい。結果として、同一のMGRPを必要とする構成と比較して、電力消費及び／又はスループットを改善することができる。
【００１１】
いくつかの実施形態においては、MGRPは40[ms]及び80[ms]の値に限定されてもよい。他の実施形態においては、MGRPのために追加の可能な値を使用してもよい。上記の追加の可能な値は可能なMGRP値の整数倍に限定されてもよい。代替的に又は加えて、E-UTRANは、互いの整数倍となっているMGRPを選択するように要求されてもよい。（例えば、周期等の）MGRPの重なり間の時間は、MGRPの最小公倍数であってもよい。このようにして、MGRPを各々の整数倍に制限すると、周期を最も大きなMGRPと同程度の小ささにすることを保証することができる。そうでない場合には、周期はより大きくなり、（例えば、各トランシーバーが、整列が生じる前に他方のトランシーバーを妨害するといったように）より多くの妨害が、測定間隔が整列する前に2つのトランシーバー間で発生する可能性がある。代替的な実施形態において、（例えば、最小公倍数等の）周期が可能な限り小さくなることを保証するために他の規則を使用してもよい。
【００１２】
UEはE-UTRANにトランシーバーの能力を示してもよい。例えば、一方のトランシーバーが周波数の限定されたセットのみを使用可能な場合には、UEはE-UTRANにそのことを示してもよい。E-UTRANは、その後、周波数の上記の限定されたセットのみを使用可能なトランシーバーにより大きなMGRPを割り当ててもよい。１つの実施形態において、UEのトランシーバーの能力に関する情報は、無線リソースコントロール（RRC）メッセージを使用して送信されてもよい。RRCメッセージは、UEがeNBとの接続セットアップを実行している間に送信されてもよい。
【００１３】
代替的に、UEは自身の能力を示さなくてもよいが、代わりに、E-UTRANに嗜好の指標を送信してもよい。例えば、UEは、UEがMGRPのために使用されることを望む時間の値の指標を送信してもよい。別の実施形態において、UEは、トランシーバーのための（望ましい相対的な大きさ等の）望ましい倍数の指標を送信してもよい。E-UTRANは、示された能力及び／又は嗜好に基づいて測定設定情報を決定してもよい。E-UTRANは、示された能力及び／又は嗜好に基づいて測定設定情報を選択してもよい。E-UTRANは、示された能力及び／又は嗜好と整合する測定設定情報を選択してもよい。代替的に、E-UTRANは、示された能力及び／又は嗜好から測定設定情報を導出してもよいが、その場合でも、測定設定情報を決定する際には示された能力及び／又は嗜好を考慮する。例えば、E-UTRANは、UEに利用可能でない情報を有していてもよい。例えば、E-UTRANは、いずれの周波数が各セルグループによって使用されているかを知っていてもよく、したがって、E-UTRANは、各トランシーバーによってサポートされているとそのE-UTRANが知っている又は考えている周波数及び上記の知識に基づいて測定設定情報を決定してもよい。
【００１４】
１つの実施形態において、UEは、選択された測定設定情報についてE-UTRANにフィードバックを提供してもよい。UEは、能力又は嗜好の前もって提供された指標を有していてもよいし、有していなくてもよい。例えば、E-UTRANは、UEのトランシーバーの双方について測定間隔を設定してもよい。一方、UEは、トランシーバーの能力に関する制約のためにいくつかの周波数のいくつかの測定を実行できなくてもよい。UEは、制約が測定を実行することを妨げていることを、E-UTRANに示してもよく、及び／又はいずれの制約が測定の実行を制限しているかを、E-UTRANに示してもよい。E-UTRANは、トランシーバーのための間隔をより良く整列するように、測定間隔を再設定してもよく、及び／又はUEの能力に基づいて新たな測定間隔を再割り当てしてもよい。測定間隔設定情報及び／又は測定対象は、また或いは代わりに、再設定され及び／又は再割当てされてもよい。
【００１５】
図１は、複数のeNB110及び120と通信可能に接続されているデュアルコネクティビティUE130を含むシステム100の概略図である。例えば、UE130はマクロeNB110と通信可能に接続されていてもよく、マクロeNB110はMCGの部分となっていてもよい。UE130は（ミクロセル、ピコセル、又はフェムトセル等の）スモールセルeNB120と通信可能に接続されていてもよく、スモールセルeNB120はSCGの部分となっていてもよい。UE130は2つのeNB110及び120と通信するための2つのトランシーバーを含んでいてもよい。UE130は、測定を実行し、トランシーバーのうちのいずれかが新たなeNBにハンドオーバーされるべきか否かを判定することを必要とされていてもよい。UE130は測定設定情報を受信してもよく、その測定設定情報は、測定間隔のための継続時間、長さ、及び整列等を示していてもよく、その測定間隔の間に測定が実行されることとなる。測定設定情報は各eNB110及び120から対応するレシーバーについて個々に受信されてもよく、及び／又は単一のeNB110又は120からレシーバーの双方について受信されてもよい。UE130は、受信した測定設定情報に従って測定を実行してもよい。各トランシーバーについての測定設定情報は、他方のトランシーバーについての測定設定情報に関して1つの関係を有するように選択されてもよく、その1つの関係は、（電力消費及びスループット等の）UE130の性能を最適化してもよい。
【００１６】
図２は、一方のトランシーバーのための測定間隔210の測定長さが増加したときのさまざまな周波数におけるUEの各トランシーバーの動作を示しているチャート200である。第１のトランシーバーは、MCGに通信可能に接続されてもよく、また、２つの周波数f０及びf５における動作及び測定をサポートしてもよいが、４つの周波数f１乃至f４における動作及び測定はサポートしなくてもよい。第２のトランシーバーは、SCGに通信可能に接続されてもよく、また、４つの周波数f１乃至f４における動作及び測定をサポートしてもよい。例示的な実施形態において、MCGトランシーバーのための測定間隔210の測定間隔長は、シングルコネクティビティUEによって使用される測定時間と比較して増加させられている一方で、SCGトランシーバーのための測定間隔220の測定間隔長は、シングルコネクティビティUEによって使用される測定時間と比較して変化しないままにされている。他の実施形態において、SCGトランシーバーのための測定間隔220の測定間隔長が、増加させられていてもよい。
【００１７】
MCGトランシーバーのための測定間隔210及びSCGトランシーバーのための測定間隔220は、時間的に整列されていてもよく、整列されていなくてもよい。例えば、他の制約により、MCG測定間隔210がSCG測定間隔220にたいしてずれることを余儀なくされる可能性がある。そのような実施形態においては、MCG測定間隔210及びSCG測定間隔220のうちの少なくとも一方の測定間隔長を増加させると、整列のずれにもかかわらず、測定時間に対する妨害時間の比を減少させることが可能である。例示的な実施例において、MCG測定間隔210の増加させられた測定間隔長は、より長いMGRPと組み合わせられてもよい。したがって、MCG測定間隔210の妨害は、同じ時間長にわたって持続してもよいが、この場合、半分の頻度で発生するにすぎないようにしてもよい。代替的な実施形態においては、MGRPは、より長い測定時間によって増加させられなくてもよい。例示的な実施形態において、単一の周波数が、のばされた測定時間の全体にわたって測定されてもよい。代替的な実施形態において、測定間隔の間、複数の周波数が連続して測定されてもよい。例えば、互いに異なる測定間隔で複数の測定が発生した場合には、4つの妨害が必要となることとなるが、連続して2つの周波数を測定する場合には、周波数の変化のための3つの妨害が必要とされてもよい。このようにして、測定時間及び／又は測定の数に対する妨害時間の比率を減少させることが可能である。
【００１８】
図３は、双方のトランシーバーのための測定間隔310及び320が時間的に整列されている場合に、さまざまな周波数におけるUEの各トランシーバーの動作を示すチャート300である。双方のトランシーバーのためのMGRPは互いに同じになっていてもよい。加えて、測定間隔310及び320の測定オフセット及び／又は測定長さも、同様に、同じになっていてもよい。したがって、測定間隔310及び320は同じ時間に開始し及び終了してもよく、また、測定間隔310又は320が一方のトランシーバーのために生じるときはいつでも、他方のトランシーバーのための測定間隔310又は320も生じるようにしてもよい。同一のMGRPにより時間的に整列させられた測定間隔310及び320は、単一の整列させられた測定間隔と称されてもよい。
【００１９】
測定間隔310及び320が同じ時間に生じるので、互いのいかなる妨害も存在しなくてもよい。双方のトランシーバーが同じ時間に周波数を変化させてもよく、したがって、トランシーバーが自身をすでに妨害した場合に、任意の妨害が発生する。いくつかの実施形態において、単一のセットの測定設定情報が双方のトランシーバーのために使用されてもよい。UEは、双方のトランシーバーのために受信した測定基準を使用するように事前に構成されていてもよく、１つのセットの測定基準のみが受信された場合に、同一の測定基準を使用してもよく、測定基準が双方のトランシーバーのために使用されるべきであるという指標を受信してもよく、及び／又はその他の同様の動作も可能である。いくつかの実施形態において、MCG及びSCGのサブフレーム及び／又はフレームは時間的に整列されていなくてもよく、したがって、同一の測定設定情報を使用すると、複数のずれた測定間隔を生じる可能性がある。E-UTRANはサブフレーム及び／又はフレームの間の関連するオフセットを決定してもよく、E-UTRANによって送信された測定基準情報はいずれかのオフセットを相殺してもよく、結果として、測定間隔310及び320は整列させられる。
【００２０】
図４は、異なるMGRPが各トランシーバーのために使用される場合に、さまざまな周波数におけるUEの各トランシーバーの動作を示すチャート400である。UEのトランシーバーは、ある周波数において動作し又はある周波数を測定することができるようになっているのみであってもよい。例示的な実施形態において、MCGに通信可能に接続される第1のトランシーバーは、周波数f0及びf5のみをサポートしていてもよいが、周波数f1乃至f4をサポートしなくてもよい。SCGに通信可能に接続される第2のトランシーバーは、周波数f1乃至f4のみをサポートしてもよいが、周波数f0及びf5をサポートしなくてもよい。第1のトランシーバーは、周波数f0で動作していてもよく、したがって、第1のトランシーバーは、周波数f5のみを測定するように要求されてもよい。対照的に、第2のトランシーバーは、周波数f1で動作していてもよく、周波数f2、f3及びf4を測定するように要求されてもよい。
【００２１】
異なるMGRPが各トランシーバーのために使用されてもよい。第1のトランシーバーが第2のトランシーバーのために最適化されたMGRPを使用している場合に、第1のトランシーバーは、不必要な測定を実行中であってもよく、又は第2のトランシーバーが第1のトランシーバーのために最適化されたMGRPを使用している場合に、第2のトランシーバーは、測定を直ちに実行しなくてもよい。各トランシーバーの性能は、そのトランシーバーに最も適するMGRPを選択することにより最適化されてもよい。第1のトランシーバーは、場合によっては測定間隔410を有していてもよいが、第1のトランシーバーが測定間隔410を有していない場合には、追加のデータを送信し及び／又は受信することが可能であってもよい。第2のトランシーバーは、適時にモニタリングされているすべての周波数を測定できる程度に十分頻繁に複数の測定間隔420を有してもよい。測定間隔のずれがある場合には、第2のトランシーバーは、第1のトランシーバーのための測定間隔410がより少なくなることに起因して、より少ない妨害を有していてもよい。さらに、測定間隔のずれがある場合には、第1のトランシーバーは、データを送信し及び受信するために、削除された測定間隔の全体を使用可能であってもよい。このようにして、第1のトランシーバー及び第2のトランシーバーの性能を改善することが可能である。
【００２２】
図５は、異なるMGRPが各トランシーバーのために使用されるが、測定間隔510及び520が時間的に整列されている場合に、さまざまな周波数におけるUEの各トランシーバーの動作を示すチャート500である。各トランシーバーのための異なるMGRPにより時間的に整列された測定間隔510及び520は、多数の整列された測定間隔と称されてもよい。上記の実施形態と同様に、MCGトランシーバーは周波数f0及びf5のみをサポートしていてもよく、SCGトランシーバーは周波数f1乃至f4のみをサポートしていてもよい。したがって、MCGトランシーバーのためのMGRPは、SCGトランシーバーのためのMGRPよりも大きくなるように選択されてもよい。このようにして、MCGトランシーバーは、MCGトランシーバーが測定を実行している時間以外の時間においてデータを送信し及び／又は受信することが可能であり、測定は、性能に付加的な利益をほとんどもたらすことはなく、SCGトランシーバーは、モニタリングしているすべての周波数の測定を適時に行うことができる程度に十分頻繁に測定を実行することができる。
【００２３】
加えて、MCGトランシーバーが測定間隔510を有するときはいつでも、測定間隔510及び520は、時間的に整列されてもよい。MCGトランシーバー及びSCGトランシーバーの双方が測定間隔510及び520を有する場合に、それらの測定間隔を整列すると、測定間隔510及び520のいずれもが他方の測定間隔510及び520を妨害しないようにすることが可能である。SCGトランシーバーのみが測定間隔520を有する場合には、妨害がMCGトランシーバーについて生じる可能性がある。これに対して、MCGトランシーバーは、複数の妨害の間に追加のデータを送信し及び／又は受信することが可能であり、単一の整列させられた測定間隔による実施形態においては、MCGトランシーバーは、妨害の際には送信することは不可能である。このようにして、MGRPは各トランシーバーの要求に対して調整されてもよく、妨害は可能な範囲で最小化されてもよい。
【００２４】
例示的な実施形態において、複数のMGRPは互いの整数倍となっていてもよい。結果として、MGRPの最小公倍数はより大きなMGRPとなり、そのより大きなMGRPを有するトランシーバーが測定間隔を有するたびごとに、他のトランシーバーも同様に測定間隔を有することとなる。他の実施形態においては、複数のMGRPは互いの整数倍でなくてもよい。そのような実施形態においては、双方のトランシーバーは、他方のトランシーバーの測定間隔と整列されていない測定間隔を有していてもよい。測定間隔が整列される各時間の間の期間は、MGRPの最小公倍数であってもよい。いくつかの実施形態において、複数のMGRPが互いの整数倍でない場合であっても、最小公倍数の大きさが大きくなりすぎないように、MGRPを選択してもよい。
【００２５】
図６は、デュアルコネクティビティのための測定間隔を設定する方法600のフローチャートである。方法600は、MCG及びSCGに通信可能に接続するステップ602により始まってもよい。MCG及びSCGは同時に通信可能に接続されてもよく、及び／又は一方は他方が接続された後しばらくして通信可能に接続されてもよい。測定能力及び／又は測定性能は、eNBに送信されてもよい（ステップ604）。測定能力及び／又は測定性能は、MCGのeNB、SCGのeNB、及び／又はMCG及びSCGの双方のeNBに送信されてもよい。測定能力及び／又は測定性能は、MCGが通信可能に接続される時点で、SCGが通信可能に接続される時点で、及び／又は時間的なより後の点で送信されてもよい（ステップ604）。先に測定能力及び／又は測定性能の指標を提供するのではなく、すでに受信されている測定設定情報に関するフィードバックをMCG及び／又はSCGに提供してもよい。
【００２６】
MCG及び／又はSCGは、提供された測定能力及び／又は測定性能を使用して、測定設定情報を決定してもよい。例えば、限定された数のみの周波数をモニタリングすることができるトランシーバーのためにより長いMGRPを選択してもよい。（例えば、各セルグループはそのセルグループ自身のために測定設定情報を提供してもよく、一方のセルグループが双方のセルグループのために測定設定情報を提供してもよいといったように）測定設定情報は、MCGeNBによって、SCGeNBによって、MCGeNB及びSCGeNBの双方によって、及び／又はその他同様の手法によって送信されてもよい。測定設定情報は、その後、送信したeNBから受信されてもよい（ステップ606）。測定設定情報は、MGRP、測定長さ、オフセット、及び／又は測定の時間、異なる測定設定情報及び／又は異なるMGRPが各セルグループのために使用されるか否か、及び／又はその他同様の情報を含んでもよい。
【００２７】
MCG及びSCGのための測定間隔は受信された測定設定情報に基づいて設定されてもよい。各測定間隔の間に実行されるべきある特定の測定が決定されてもよい。（例えば、MCG信号がMCGトランシーバーのための測定間隔の間に測定されてもよく、SCG信号がSCGトランシーバーのための測定間隔の間に測定されてもよいといったように）決定されたMCG及びSCG信号が対応する測定間隔の間に測定されてもよい（ステップ608）。信号レベル、信号品質、及び／又はその他同様の物理量が測定間隔の間に測定されてもよい。測定パラメーターは測定値から算出されてもよく、1つ又は複数のトリガイベントが発生した際に、測定報告がMCGeNBに、SCGeNBに、及び／又はMCGeNB及びSCGeNBの双方に送信されてもよい（ステップ610）。測定に基づいて、MCGトランシーバー及び／又はSCGトランシーバーは新たなセルへのハンドオーバーを実行してもよい。
【００２８】
図７は、UE、移動局（MS）、移動無線デバイス、移動通信デバイス、タブレット、ハンドセット、又は他のタイプの無線通信デバイス等の移動デバイスの例示的な図である。移動デバイスは、基地局（BS）、eNB、ベースバンドユニット（BBU）、リモートラジオヘッド（RRH）、リモートラジオ機器（RRE）中継局（RS）、無線機器（RE）、又は他のタイプの無線広域ネットワーク（WWAN）等の送信局と通信するように構成される１つ又は複数のアンテナを含んでいてもよい。移動デバイスは、3GPP  LTE、WiMAX、高速パケットアクセス（HSPA）、ブルートゥース(登録商標)、及びWi-Fi等を含む少なくとも１つの無線通信規格を使用して通信するように構成されてもよい。移動デバイスは、各無線通信規格のための複数の個別のアンテナ又は複数の無線通信規格のための共有アンテナを使用して通信してもよい。移動デバイスは、無線ローカルエリアネットワーク（WLAN）、無線パーソナルエリアネットワーク（WPAN）、及び／又はWWANにおいて通信をしてもよい。
【００２９】
図７は、また、移動デバイスからの音声入力及び音声出力のために使用されうるマイクロフォン及び１つ又は複数のスピーカーを示している。ディスプレイスクリーンは、液晶ディスプレイ（LCD）スクリーン、又は有機発光ダイオード（OLED）ディスプレイ等の他のタイプのディスプレイスクリーンであってもよい。ディスプレイスクリーンはタッチスクリーンとして構成されてもよい。タッチスクリーンは、容量性、抵抗膜方式、又は他のタイプのタッチスクリーン技術を使用していてもよい。アプリケーションプロセッサ及びグラフィックプロセッサは、内部メモリに接続されて、処理能力及び表示能力を提供してもよい。不揮発性メモリポートが、ユーザにデータ入力／出力動作を提供するために使用されてもよい。不揮発性メモリポートは、また、移動デバイスのメモリ容量を拡張するのに使用されてもよい。キーボードは、移動デバイスと一体化され、又は移動デバイスに無線で接続されて、追加のユーザ入力を提供してもよい。タッチスクリーンを使用して仮想キーボードを提供してもよい。
例
【００３０】
以下の例はさらなる実施形態に関している。
【００３１】
例1は、E-UTRANと通信するように構成されたUEである。UEは、MCGに接続されるとともにSCGに接続されるトランシーバーを含んでいる。UEは、トランシーバーに接続されるプロセッサを含んでいる。プロセッサは、MCG及びSCGのための測定間隔設定情報を受信するように構成される。測定間隔設定情報によって示されるMCGのための測定間隔は、測定間隔設定情報によって示されるSCGのための測定間隔と時間的に整列される。プロセッサは、MCGのための測定間隔及びSCGのための測定間隔の間にMCG信号及びSCG信号を測定するようにトランシーバーに指示するように構成される。
【００３２】
例2において、例1の測定間隔設定情報は、SCGのためのMGRPと等しいMCGのためのMGRPを示す。
【００３３】
例3において、例1及び2のいずれかの測定間隔設定情報は、MCG及びSCGの双方のための測定間隔を定義する単一のセットの設定パラメーターを含んでいる。
【００３４】
例4において、例1の測定間隔設定情報は、MCGのための第1のMGRP及びSCGのための第2のMGRPを示す。第1のMGRPは第2のMGRPと異なっている。
【００３５】
例5において、例4の第1のMGRP及び第2のMGRPのうちの一方は、第1のMGRP及び第2のMGRPのうちの他方の整数倍になっている。
【００３６】
例6において、例1乃至5のいずれかの測定間隔設定情報は、シングルコネクティビティ接続のために使用される測定間隔長よりも長い測定間隔長を示している。
【００３７】
例7において、例1乃至6のいずれかのプロセッサは、接続セットアップの間にトランシーバーの能力を示すRRCメッセージを送信するようにトランシーバーに指示するように構成される。
【００３８】
例１乃至７のいずれかのプロセッサは、測定対象を受信するように構成される。プロセッサは、トランシーバーの能力に関する制約が、測定対象及び測定間隔設定情報によって示される測定をトランシーバーが実行するのを妨げるということを示すように、トランシーバーに指示するように構成される。
【００３９】
例9は、デュアルコネクティビティ測定間隔を設定する方法である。上記の方法は、無線通信デバイスがマスター基地局及びセカンダリー基地局に通信可能に接続されるということを、プロセッサを使用して判定するステップを含む。上記の方法は、また、通信可能な接続の各々について1つの測定間隔長及び1つのMGRPを、プロセッサを使用して選択するステップを含む。少なくとも1つの通信可能な接続について選択される測定間隔長は、シングルコネクティビティ接続のための測定間隔長よりも長い。上記の方法は、また、通信可能な接続の各々について測定間隔長及びMGRPの指標を無線通信デバイスに送信するステップを含む。
【００４０】
例10において、例9の方法は、通信可能な接続の各々について1つの測定間隔オフセットを選択するステップを含む。測定間隔オフセットは、通信可能な接続にわたって測定間隔を整列するように選択される。
【００４１】
例11において、例10のMGRPは、互いに等しくなるように選択される。
【００４２】
例12において、例10のMGRPは、互いに異なるように選択される。
【００４３】
例13において、例12のMGRPは、互いの整数倍となるように選択される。
【００４４】
例14において、例9乃至13のいずれかのMGRPは、接続セットアップの間に無線通信デバイスによって送信された能力に関する情報に基づいて選択される。
【００４５】
例15において、例9乃至14のいずれかのMGRPは、通信可能な接続の各々についての好ましい測定の指標に基づいて選択される。
【００４６】
例16において、例9乃至15のいずれかのMGRPは、前に示されたMGRPに応答して受信されたフィードバックに基づいて選択される。
【００４７】
例17は、例9乃至16のいずれかに記載された方法を実行する手段を含む装置である。
【００４８】
例18は、コンピュータ読み取り可能な命令を格納している少なくとも1つのコンピュータ読み取り可能な記録媒体であり、命令が実行されると、上記の例のいずれかに記載された方法を実装し又は装置を実現する。
【００４９】
例19は、回路を含む無線通信デバイスである。回路は、第1の基地局及び第2の基地局に通信可能に接続するように構成されている。回路は、また、通信可能な接続の各々について測定間隔頻度の指標を、複数の基地局のうちの少なくとも1つから受信するように構成される。測定間隔頻度は、互いに等しくなく、互いの整数倍となっている。回路は、また、示された測定間隔頻度に従って、通信可能な接続の各々について測定間隔の間に信号を測定するように構成される。回路は、また、基地局のうちの少なくとも1つに測定報告を送信するように構成されている。
【００５０】
例20において、例19の測定間隔は、時間的にたがいに整列される。
【００５１】
例21において、例19及び20のいずれかの回路は、各測定間隔の継続時間を決定するように構成される。測定間隔のうちの少なくとも1つの継続時間は、単一の基地局に接続されている無線通信デバイスのためのディフォルトの継続時間よりも長くなっている。
【００５２】
例22において、例19乃至21のいずれかの回路は、接続をセットアップする際に、基地局のうちの少なくとも一方に通信能力を送信するように構成される。
【００５３】
例23において、例19乃至22のいずれかの回路は、第1の基地局への接続のための測定間隔の間に測定されるべき周波数についての嗜好及び第2の基地局への接続のための測定間隔の間に測定されるべき周波数についての嗜好を送信するように構成される。
【００５４】
例19乃至23のいずれかの回路は、基地局のうちの少なくとも一方に測定を実行することができないということを示すように構成される。回路は、また、通信可能な接続のうちの少なくとも1つのための更新された測定間隔頻度の指標を受信するように構成される。
【００５５】
例25は、UEと通信可能に接続されるように構成されるマスターeNBである。マスターeNBはトランシーバーを含んでいる。マスターeNBはトランシーバーに接続されているプロセッサを含んでいる。プロセッサは、UEがマスターeNB及びセカンダリーeNBと通信可能に接続されるということを判定するように構成されている。プロセッサは、通信可能な接続の各々について測定間隔長及びMGRPを選択するように構成される。通信可能な接続のうちの少なくとも1つのために選択された測定間隔長は、シングルコネクティビティ接続のための測定間隔長よりも長い。回路は、通信可能な接続の各々について測定間隔長及びMGRPの指標をUEに送信するように構成される。
【００５６】
例26において、例25のプロセッサは、通信可能な接続の各々について測定間隔オフセットを選択するように構成される。測定間隔オフセットは、通信可能な接続にわたって複数の測定間隔を整列させるように選択される。
【００５７】
例27において、例26のMGRPは互いに等しくなるように選択される。
【００５８】
例28において、例26のMGRPは互いに異なるように選択される。
【００５９】
例29において、例28のMGRPは互いに整数倍になるように選択される。
【００６０】
例30において、例25乃至29のいずれかのMGRPは接続セットアップの間にUEによって送信される能力に関する情報に基づいて選択される。
【００６１】
例31において、例25乃至30のいずれかのMGRPは通信可能な接続の各々のための好ましい測定の指標に基づいて選択される。
【００６２】
例32において、例25乃至31のいずれかのMGRPは前に示されたMGRPに応答して受信されたフィードバックに基づいて選択される。
【００６３】
例33はデュアルコネクティビティ用の測定間隔を設定する方法である。上記の方法は、MCG及びSCGのための測定間隔設定情報を受信するステップを含む。測定間隔設定情報によって示されるMCGのための測定間隔は、測定間隔設定情報によって示されるSCGのための測定間隔と時間的に整列される。上記の方法は、MCG及びSCGのための測定間隔の間にMCG信号及びSCG信号を測定するステップを含む。
【００６４】
例34において、例33の測定間隔設定情報は、SCGのためのMGRPと等しいMCGのためのMGRPを示す。
【００６５】
例33及び34のいずれかの測定間隔設定情報は、MCG及びSCGの双方のための測定間隔を定義するための単一のセットの設定パラメータを含む。
【００６６】
例36において、例33の測定間隔設定情報は、MCGのための第1のMGRP及びSCGのための第2のMGRPを示す。第1のMGRPは第2のMGRPと異なる。
【００６７】
例37において、例36の第1のMGRP及び第2のMGRPのうちの一方は、第1のMGRP及び第2のMGRPのうちの他方の整数倍になっている。
【００６８】
例38において、例33乃至37のいずれかの測定間隔設定情報は、シングルコネクティビティ接続のために使用される測定間隔長よりも長い測定間隔長を示す。
【００６９】
例39において、例33乃至38のいずれかの方法は、接続セットアップの間にトランシーバーの能力を示すRRCメッセージを送信するステップを含む。
【００７０】
例40において、例33乃至39のいずれかの方法は測定対象を受信するステップを含む。上記の方法は、トランシーバーの能力の制約が、測定対象及び測定間隔設定情報によって示される測定をそのトランシーバーが実行するのを妨げるということを示すステップを含む。
【００７１】
例41は、デュアルコネクティビティ用の測定間隔を設定するマスター基地局である。マスター基地局は回路を含む。その回路は、無線通信デバイスがマスター基地局及びセカンダリー基地局と通信可能に接続されるということを判定するように構成される。その回路は、通信可能な接続の各々のためのMGRPを選択するように構成される。その回路は、通信可能な接続の各々についてMGRPの指標を無線通信デバイスに送信するように構成される。
【００７２】
例42において、例41の回路は通信可能な接続の各々について測定間隔オフセットを選択するように構成される。測定間隔オフセットは、複数の通信可能な接続にわたって測定間隔を整列させるように選択される。
【００７３】
例43において、例42のMGRPは互いに等しくなるように選択される。
【００７４】
例44において、例42のMGRPは互いに異なるように選択される。
【００７５】
例45において、例44のMGRPは互いの整数倍になるように選択される。
【００７６】
例46において、例41乃至45のいずれかのMGRPは、接続セットアップの間に無線通信デバイスによって送信された能力に関する情報に基づいて選択される。
【００７７】
例47において、例41乃至46のいずれかのMGRPは、通信可能な接続の各々のための好ましい測定の指標に基づいて選択される。
【００７８】
例48において、例41乃至47のいずれかのMGRPは、前に示されたMGRPに応答して受信されたフィードバックに基づいて選択される。
【００７９】
さまざまな技術、ある態様、又はそれらの部分は、フロッピーディスク、CD-ROM、ハードドライブ、不揮発性コンピュータ読み取り可能記録媒体、又はその他の機械読み取り可能記録媒体等の有体物の媒体に実装される（プログラム命令等の）プログラムコードの形態をとってもよく、それらのプログラムコードがコンピュータ等の機械にロードされ機械によって実行されたときに、その機械は、上記のさまざまな技術を実現する装置になる。プログラム可能なコンピュータ上でプログラムコードを実行する場合は、コンピューティングデバイスは、プロセッサ、プロセッサにより読み取り可能な（揮発性及び不揮発性メモリ、及び／又は記憶素子等の）記憶媒体、少なくとも１つの入力デバイス、及び少なくとも１つの出力デバイスを含んでもよい。揮発性及び不揮発性メモリ及び／又は記憶素子は、RAM、EPROM、フラッシュデバイス、光デバイス、磁気ハードドライブ、又は電子データを格納する他の媒体であってもよい。eNB（又は他の基地局）及びUE（又は他の移動局）は、トランシーバー要素、カウンター要素、処理要素、及び／又はクロック要素又はタイマー要素を含んでもよい。本明細書で記載されたさまざまな技術を実装し又は利用することができる１つ又は複数のプログラムは、アプリケーションプログラミングインターフェイス（API）、再利用可能な制御、及びその他の同様なものを使用してもよい。そのようなプログラムは、ハイレベル手続き型プログラミング言語又はオブジェクト指向プログラミング言語で実装されていてもよく、コンピュータシステムと通信することができる。しかしながら、上記のプログラムは、要求に応じて、アセンブリ又は機械語で実装することもできる。いずれの場合においても、言語は、コンパイルすることができ、又は解釈された言語であってもよく、そして、ハードウェアの実装と組み合わせられてもよい。
【００８０】
本明細書で述べられた機能ユニットの多くのものが１つ又は複数の構成要素として実装することができ、１つ又は複数の構成要素は、それらがその実装によらないことをより具体的に強調するのに使用される用語で示されているということを理解すべきである。例えば、構成要素は、特注の大規模集積回路（VLSI）又はゲートアレイ、ロジックチップ、トランジスター、又は他の個別の構成要素等の市販の半導体を含むハードウェア回路として実装されてもよい。その他にも、構成要素は、フィールドプログラマブルゲートアレイ、プログラマブルアレイロジック、プログラマブルロジックデバイス、又はその他同様のもの等のプログラマブルハードウェアデバイスとして実装されてもよい。
【００８１】
構成要素は、さまざまなタイプのプロセッサによって実行されるソフトウェアとして実装されてもよい。実行可能なコードによる特定された構成要素は、例えば、複数のコンピュータ命令の１つ又は複数の物理的なブロック又は論理的なブロックを含んでもよく、１つ又は複数の物理的なブロック又は論理的なブロックは、例えば、オブジェクトとして、手順として、又は機能として構成されていてもよい。それにもかかわらず、特定された構成要素は、物理的に同じ場所に位置している必要はなく、異なる場所に格納されている複数の個別の命令を含んでいてもよく、それらが論理的に組み合わされた場合に、構成要素を構成し、その構成要素の説明された目的を達成する。
【００８２】
まさしく、実行可能なコードの構成要素は、単一の命令であってもよく、複数の命令であってもよく、複数の異なるコードセグメントにわたって、複数のプログラムの間で、及び複数のメモリデバイスにわたって分散されていてもよい。同様に、オペレーショナルデータは、構成要素中で特定され示されていてもよく、いずれかの適切な形態で実装され、いずれかの適切なタイプのデータ構造で実現されていてもよい。オペレーショナルデータは、単一のデータセットとして収集されてもよく、異なる記憶装置を含む異なる場所にわたって分散されていてもよく、システム又はネットワーク上で単に電子的な信号として少なくとも部分的に送出されてもよい。構成要素は、複数の望ましい機能を実行するように動作可能なエージェントを含む受動的又は能動的構成要素であってもよい。
【００８３】
本明細書を通して記載されている「例」を参照すると、それらの例と関連して説明された特定の特徴、構造、又は特性は、本開示の少なく値も１つの実施形態に含まれているということが意図されている。したがって、本明細書を通じてさまざまな場所で出現する「例において」との記載は、必然的に、すべてが同一の実施形態を指しているということではない。
【００８４】
本明細書中で使用されたように、複数の品目、構造的構成素子、及び／又は材料は、便宜的に１つの共通の記載の中に示される。しかしながら、これらの記載は、記載の各要素が個別かつ一意の要素としてここに識別されるかのように解釈されるべきである。そのような記載のいかなる個別の要素も、特に反対の意味内容であると記載される場合を除き、共通のグループの中の説明のみに基づいて同一の記載のいずれかの他の要素の事実上の等価物であると解釈されるべきではない。加えて、本開示のさまざまな実施形態及び例が、さまざまな構成要素の代替的な形態を示すものとして本明細書中で参照されてもよい。そのような実施形態、例、及び代替的な形態は、互いに事実上等価なものと解釈されるべきでなく、むしろ、本開示の個別のかつ独立した提示であると解釈されるべきである。
【００８５】
前述の記載は、説明の明確さのため、いくつかの例を用いて詳細に説明されてきたが、これらの特定の細部の原理の範囲内である複数の変更及び改変がなされうるということが明らかになるであろう。本明細書において記載されたプロセス及び装置の双方を実装する多くの代替的な方法が存在するということに留意すべきである。したがって、本実施形態は、限定的なものではなく例示的なものとして考えられるべきであり、本開示は、ここに記載されている詳細な態様に限定されるべきではなく、むしろ、添付の特許請求の範囲及びそれと均等な範囲内で変更がなされうるものである。
【００８６】
当業者であれば、本開示に示された原理の範囲内で上記の実施形態に対して多くの変更がなされうるということを理解するであろう。したがって、本願の保護の範囲は、以下の特許請求の範囲のみによって記載されるべきものである。
【図１】
0006517237.tif 000002
【図２】
0006517237.tif 000003
【図３】
0006517237.tif 000004
【図４】
0006517237.tif 000005
【図５】
0006517237.tif 000006
【図６】
0006517237.tif 000007
【図７】
0006517237.tif 000008